(57)【要約】      （修正有）【課題】後幕としてのメカニカルシャッターの走行特性を撮像素子により検知する場合のカメラの像ぶれ（輝度変化）による検知精度の低下を防止する。【解決手段】撮像素子の撮像領域を遮光する後幕としてのメカニカルシャッターと、撮像素子の撮像領域毎に電荷の蓄積を開始する走査手段と、走査と、蓄積された電荷を読み出す走査とを実行することで撮像素子を先幕電子シャッター及び後幕電子シャッターとして機能させると共に、メカニカルシャッターの走行に先行して電荷の蓄積を開始する先幕電子シャッターとして機能させる露光制御手段と、先幕電子シャッターと後幕電子シャッターによる第１の電荷蓄積動作、先幕電子シャッター及びメカニカルシャッターによる第２の電荷蓄積動作、先幕電子シャッターと後幕電子シャッターによる第３の電荷蓄積動作を行い、第１乃至第３の電荷蓄積動作による蓄積電荷量を比較してメカニカルシャッターの走行特性を検知する。【選択図】図７
2008278335.tif 000002
【特許請求の範囲】
【請求項１】
被写体像を受光して電荷として蓄積する撮像素子と、
前記撮像素子の撮像領域を遮光するように走行する後幕としてのメカニカルシャッターと、
前記撮像素子の撮像領域毎に順次、電荷の蓄積を開始する走査を行う走査手段と、
前記電荷の蓄積を開始する走査と、蓄積された電荷を読み出す走査とを、予め決められた時間間隔で実行することで前記撮像素子を先幕電子シャッター及び後幕電子シャッターとして機能させると共に、前記メカニカルシャッターの走行に先行して前記電荷の蓄積を開始する走査を実行することで前記撮像素子を先幕電子シャッターとして機能させる露光制御手段と、
前記先幕電子シャッターと前記後幕電子シャッターによる第１の電荷蓄積動作を行い、前記第１の電荷蓄積動作と同じ時間間隔で前記先幕電子シャッター及び前記メカニカルシャッターによる第２の電荷蓄積動作とを行い、前記第１の電荷蓄積動作と同じ時間間隔で前記先幕電子シャッターと前記後幕電子シャッターによる第３の電荷蓄積動作を行い、前記第１乃至第３の電荷蓄積動作により得られた蓄積電荷量を比較することにより前記メカニカルシャッターの走行特性を検知する検知手段と、を有することを特徴とする撮像装置。
【請求項２】
前記検知手段は、前記第１の電荷蓄積動作と前記第３の電荷蓄積動作において同一の撮像領域での蓄積電荷量の差分が閾値を上回る場合に、前記走行特性の検知結果が失敗であると判定することを特徴とする請求項１に記載の撮像装置。
【請求項３】
前記検知手段は、前記走行特性の検知結果が失敗であると判定した場合、前記走行特性の検知を再度実行することを特徴とする請求項２に記載の撮像装置。
【請求項４】
前記検知手段は、前記走行特性の検知結果が失敗であることを通知する手段を有することを特徴とする請求項２又は３に記載の撮像装置。
【請求項５】
前記第１の電荷蓄積動作と前記第３の電荷蓄積動作において同一の撮像領域での蓄積電荷量の差分が閾値以下の場合、前記走行特性の検知結果が成功であると判定し、検知された走行特性に応じて撮影画像の輝度を補正する手段を更に有することを特徴とする請求項１乃至４のいずれか１項に記載の撮像装置。
【請求項６】
前記第１乃至第３の電荷蓄積動作は、前記撮像素子の一部の撮像領域を用いて実行されることを特徴とする請求項１乃至４のいずれか１項に記載の撮像装置。
【請求項７】
被写体像を受光して電荷として蓄積する撮像素子と、
前記撮像素子の撮像領域を遮光するように走行する後幕としてのメカニカルシャッターと、
前記撮像素子の撮像領域毎に順次、電荷の蓄積を開始する走査を行う走査手段と、
前記電荷の蓄積を開始する走査と、蓄積された電荷を読み出す走査とを、予め決められた時間間隔で実行することで前記撮像素子を先幕電子シャッター及び後幕電子シャッターとして機能させると共に、前記メカニカルシャッターの走行に先行して前記電荷の蓄積を開始する走査を実行することで前記撮像素子を先幕電子シャッターとして機能させる露光制御手段と、を有する撮像装置の制御方法であって、
前記先幕電子シャッターと前記後幕電子シャッターによる第１の電荷蓄積動作を行い、前記第１の電荷蓄積動作と同じ時間間隔で前記先幕電子シャッター及び前記メカニカルシャッターによる第２の電荷蓄積動作を行い、前記第１の電荷蓄積動作と同じ時間間隔で前記先幕電子シャッターと前記後幕電子シャッターによる第３の電荷蓄積動作を行い、前記第１乃至第３の電荷蓄積動作により得られた蓄積電荷量を比較することにより前記メカニカルシャッターの走行特性を検知することを特徴とする制御方法。
【発明の詳細な説明】
【技術分野】
【０００１】
本発明は、電子シャッターとメカニカルシャッターとを有する撮像装置において、メカニカルシャッターの走行特性を検知する技術に関するものである。
【背景技術】
【０００２】
図１１及び図１２は単板式のデジタル一眼レフカメラの概略構成を示す断面図である。特に、図１１は光学ファインダーにより被写体像を観察するときの状態、図１２は液晶モニタ（電子ビューファインダー）により被写体像を観察するときの状態をそれぞれ示している。
【０００３】
図１１及び図１２において、１０１はカメラ本体であり、１０２は不図示のマウント機構を介してカメラ本体１０１に電気的、機械的に接続された交換レンズ装置である。交換レンズ装置１０２の種類を取り替えることにより、異なる画角の撮影画像を得ることが可能である。交換レンズ装置１０２は内部の結像光学系１０３を光軸Ｌ１方向に沿って移動させることで合焦状態を調節する。この結像光学系１０３には赤外線カットフィルターも形成されている。
【０００４】
１０６はパッケージ１２４に収納された増幅型固体撮像素子の１つであるＣＭＯＳプロセスコンパチブルのＣＭＯＳセンサである。ＣＭＯＳセンサは、任意の画素へのランダムアクセスが可能であり、後述する表示装置１０７での表示用画像を生成するための間引き読み出しが容易であり、高いフレームレートでの画像読み出しが行える。
【０００５】
１５６は結像光学系１０３から撮像素子１０６に至る光路中に設けられた光学ローパスフィルターであり、被写体から撮像素子１０６の撮像面に、必要以上に高い空間周波数成分が伝達されないように構成されている。
【０００６】
１０７はカメラ本体１０１の背面に設けられた液晶モニタからなる表示装置であり、撮像素子１０６により撮像された被写体の画像データは表示装置１０７に表示される。
【０００７】
１１１は結像光学系１０３からの光束を分割し、その一部を光学ファインダー側に導くための可動型のハーフミラーである。１０５は被写体の予定結像面に配置されたフォーカシングスクリーンであり、１１２はペンタプリズムである。
【０００８】
１０９はフォーカシングスクリーン１０５に投影された被写体の像を観察するためのレンズである。フォーカシングスクリーン１０５、ペンタプリズム１１２、レンズ１０９はファインダー光学系を構成する。ハーフミラー１１１の背後には可動型のサブミラー１２２が設けられ、ハーフミラー１１１を透過した光束のうち光軸に近い光束を焦点検出装置１２１に偏向している。本実施形態の焦点検出装置１２１は位相差検出方式の焦点検出を行う。
【０００９】
ハーフミラー１１１とサブミラー１２２からなる光路分割手段は、図１１に示すミラーダウン状態と図１２に示すミラーアップのいずれかに動作可能である。光路分割手段は、ミラーダウン状態では結像光学系１０３からの光束を分割して、一方をファインダー光学系に導き、他方を焦点検出装置１２１に導く。また、ミラーダウン状態では結像光学系１０３からの光束をそのまま撮像素子１０６に導く。
【００１０】
不図示の電磁モータとギア列からなるミラー駆動機構は、ハーフミラー１１１とサブミラー１２２を作動させてミラーダウン状態又はミラーアップ状態のいずれかに切り替える。ミラーダウン状態では光学ファインダーにより被写体像を観察可能な状態となる。また、ミラーアップ状態では表示装置１０７により被写体を観察可能な状態（電子ビューファインダー）、撮像素子１０６による焦点検出動作や測光動作を行う状態、或いは撮影可能な状態となる。
【００１１】
１１３は、撮像素子１０６の撮像面への光束を遮光するためのフォーカルプレーンシャッター、１１９はカメラ本体の電源のオン／オフを切り替えるためのメインスイッチである。１２３は被写体を観察する際に、光学ファインダーを用いるか、電子ビューファインダーを用いるかを切り替えるためのファインダーモード切り替えスイッチである。以下、光学ファインダーを用いて被写体を観察する設定を光学ファインダーモード、表示装置１０７を用いて被写体を観察する設定を電子ビューファインダーモードと呼ぶ。
【００１２】
１８０は光学ファインダーモードが設定された場合に、シャッター速度や絞り値等の撮影パラメータを表示するための光学ファインダー内情報表示装置である。
【００１３】
シャッター装置には機能や特性の異なる様々な種類のものが存在するが、電子ビューファインダー機能を備えるデジタルカメラは、光学ファインダー機能のみを備えるカメラに比較して、多くの種類のシャッター装置を適用することができる。例えば、銀塩カメラで用いられている先幕と後幕を有するフォーカルプレーンシャッターを適用できる。
【００１４】
フォーカルプレーンシャッターは、シャッター地板に枢支された２組の羽根ユニットを有する。この羽根ユニットは複数に分割された遮光羽根群を２本のアームで各々回転可能に保持して平行リンクを形成している。一方の羽根ユニットは露光時にシャッター開口部を遮蔽状態から開放状態へ移行させる先羽根（先幕とも呼ぶ）として作用する。他方の羽根ユニットは露光時にシャッター開口部を開放状態から遮蔽状態へ移行させる後羽根（後幕とも呼ぶ）として作用する。先羽根と後羽根を構成する羽根ユニットは、所定の方向へ付勢力を付与するバネ等の付勢手段と電磁石により吸着保持されるアーマチュアとを有した駆動機構に連結されている。
【００１５】
先羽根を構成する羽根ユニットは、撮影前に不図示のチャージレバーによってアーマチュアが電磁石のヨーク吸着面に接触する撮影準備位置まで移動され、シャッター開口部を遮蔽した状態で保持される。
【００１６】
後羽根を構成する羽根ユニットは、撮影前にやはり不図示のチャージレバーによってアーマチュアが電磁石のヨーク吸着面に接触する撮影準備位置まで移動され、シャッター開口部を開放した状態で保持される。
【００１７】
不図示のシャッタースイッチが操作されると、チャージレバーは羽根ユニットをヨーク吸着面に保持した位置から退避させる。それぞれの羽根ユニットは専用のコイルに通電された電磁石の磁力により、アーマチュアが電磁石のヨーク吸着面に吸着した状態で保持される。そして、先に先羽根を構成する羽根ユニットに対応した電磁石の通電が断たれて先羽根がシャッター開口部を開放する。シャッター速度から設定される所定秒時後、後羽根を構成する羽根ユニットに対応した電磁石の通電が断たれて後羽根がシャッター開口部を遮蔽する。このようにして撮像素子１０６の撮像面が露光される。これら羽根ユニットの走行が完了した後、再び不図示のチャージレバーにより、それぞれの羽根ユニットが撮影準備位置へ移動し、次の撮影まで待機する。
【００１８】
図１３は、撮像素子による電荷蓄積動作と、先羽根及び後羽根の走行タイミングを示し、横軸は時間、縦軸は撮像素子の撮像領域の上下方向での位置、つまり、羽根の走行方向における位置を表している。
【００１９】
Ｍ１０１は露光開始位置としての先羽根の最後部のスリット形成端位置、Ｍ２０１は遮光開始位置としての後羽根の最前部のスリット形成端位置をそれぞれ示している。
【００２０】
また、Ｅ１０１は撮像素子による電荷蓄積を開始するためのリセット動作のタイミング、Ｅ２０１は撮像素子に蓄積された電荷に相当する信号を得るための読み出し動作のタイミングをそれぞれ示している。撮像素子はシャッター装置の先羽根が走行を開始するのに先行して電荷蓄積を開始しており、先羽根及び後羽根のいずれもが走行を完了した後に撮像素子に蓄積された電荷の読み出し動作を行っている。つまり、撮像素子が電荷蓄積動作を行っている期間に、先羽根及び後羽根の両方が走行する期間が包含されていることになる。
【００２１】
上記構成において、電子ビューファインダーモードを実行しようとすると、表示装置１０７により被写体を観察する期間は、撮像素子１０６により被写体像を撮像可能なように先羽根がシャッター開口部から退避している必要がある。
【００２２】
先羽根をシャッター開口部から退避させるには、チャージレバーを羽根ユニットがヨーク吸着面に保持される位置から退避させ、先羽根の電磁石用のコイルへの通電を解除し、先羽根を走行させる。このとき後羽根の電磁石用のコイルへの通電は継続し、後羽根をシャッター開口部から退避した位置に保持したままとする。
【００２３】
電子ビューファインダーモードの間、先羽根用の電磁石のヨーク吸着面は剥き出しの状態となり、撮影が終了して再び羽根ユニットが撮影準備位置へ移動されるまでこの剥き出しの状態は続く。撮影者が構図を決めるまでに時間を要すれば、それだけ電磁石のヨーク吸着面が剥き出しになる時間が長くなる。そのため、電磁石のヨーク吸着面へゴミが侵入する可能性が高くなり、このゴミに起因した先羽根の吸着不良によってシャッター秒時精度が悪化したり、吸着不良によってアーマチュア自体を保持できなくなるといった不都合が生じる可能性がある。
【００２４】
そこで、このような不都合を生じない構成として、特許文献１に記載されたシャッター装置がある。このシャッター装置は後羽根としての羽根ユニットのみを備え、ＸＹアドレス型の撮像素子の電荷蓄積開始タイミングを後羽根の走行特性に一致させることで露光時間を制御している。
【００２５】
図１４は、カメラにおける撮像素子の電荷蓄積動作と、上記メカニカルシャッターの後羽根の走行タイミング及び走行特性を示している。
【００２６】
Ｍ２０２は遮光開始位置としての後羽根の最前部のスリット形成端位置を示している。Ｅ１０２は撮像素子１０６による電荷蓄積を開始するためのリセット動作のタイミング、Ｅ２０２は撮像素子に蓄積された電荷に相当する信号を得るための読み出し動作のタイミングをそれぞれ示している。
【００２７】
撮像素子は、設定されたシャッター速度に応じて、メカニカルシャッターの後羽根が走行を開始するよりも所定秒時前に電荷蓄積を開始する。この電荷蓄積の開始タイミングは、加速しながら走行する後羽根の走行特性に合わせて、全ての撮像領域において露光量が均等になるように撮像素子のライン毎に制御されている。撮像素子は後羽根としての羽根ユニットの走行が完了した後、蓄積された電荷の読み出しが行われる。
【００２８】
この構成によれば、先羽根としての羽根ユニットが不要となり、スミアが発生しない動画撮影を行うことができ、更に、十分な精度のシャッター動作で静止画撮影も行うことができることになる。更に先羽根の吸着不良によってシャッター秒時精度が悪化したり、吸着不良によってアーマチュア自体を保持できなくなるという不都合も生じなくなる。
【００２９】
しかしながら、羽根ユニットはカメラ本体の姿勢や使用環境温度の変化等によって、その走行特性が変化するものであり、これらの影響を無視すれば、特にシャッター速度が高速に設定されたときに露光時間のムラ（以下、露光ムラ）による影響が大きくなる。先羽根と後羽根の両方を機械的な羽根ユニットで構成した場合には、両方の羽根ユニットに対して均等な影響が及ぶことが多く、羽根ユニット間の走行特性の差異を気にしなくとも、さほど問題は生じない。しかしながら、撮像素子のリセット動作によって電荷蓄積開始タイミングを制御する場合には、リセット動作と後羽根の走行特性とで使用環境温度等による影響の有無に相違がある。
【００３０】
一方、特許文献２には、先羽根の羽根ユニットの走行特性をフォトインタラプタにより検知することで、撮像素子のリセット動作による電荷蓄積開始タイミングを制御する技術が記載されている。これによると、撮影直前にこれから走行させる後羽根の走行特性を推定できるため、撮像領域全体の露光ムラを低減できる可能性が高い。
【特許文献１】特開平１１−０４１５２３号公報
【特許文献２】特開２００５−１５９４１８号公報
【特許文献３】特開２００６−１０１４９２号公報
【発明の開示】
【発明が解決しようとする課題】
【００３１】
上記特許文献２では、後羽根の走行特性を事前に推定してリセット動作のタイミングを制御することができるが、フォトインタラプタを設けた分だけシャッターの構成が大型化してしまう。また、撮像素子の近傍にフォトインタラプタ等の光センサを配置すると、光センサから光が撮像素子の撮像面に入射しないような構成を別途設ける必要もある。
【００３２】
このように撮像素子のリセット動作とメカニカルシャッターとにより露光時間を制御する構成では、リセット動作のタイミングを適切に設定する構成について改善の余地があると考えられる。
【００３３】
また、メカニカルシャッターの走行特性を検出する技術が特許文献３に記載されている。これによると、撮像素子のリセット動作と読み出し動作の間に蓄積された全撮像領域の電荷量と、撮像素子のリセット動作とシャッターの走行動作の間に蓄積された全撮像領域の電荷量とを比較することでメカニカルシャッターの走行特性を検出している。この場合、撮像素子の全撮像領域の読み出しに数百ｍｓ程度の時間を要し、その間の被写体の状況変化による輝度変化によってメカニカルシャッターの走行時間の正確な比較ができなくなり、走行特性を正確に検出できない可能性がある。
【００３４】
更に、通常撮影の直前にメカニカルシャッターの走行特性を検知しようとすると、１回の撮影につき撮影前と撮影時の２回シャッターを走行させることになり、実際にシャッターを切るまでに時間がかかり、シャッタータイムラグが大きく不便となる。
【００３５】
また、上記不都合を解消するため、撮像素子の一部をメカニカルシャッターの走行特性検知に用い、その走行検知部に蓄積された電荷に応じて、上記撮像領域毎の露光時間の差分を演算し、この演算結果を用いて画像データの補正を行う技術が提案されている。この場合、走行検知部の読み出しに要する時間は極短時間になり、走行特性検知に要する時間は撮像素子の全撮像領域の電荷を読み出す時間に比べて大幅に少なくて済む。また、走行特性検知中の被写体の状況変化による輝度変化も無視できるほどであり、大抵の場合は正確な走行特性検知を行うことが可能となる。
【００３６】
しかしながら、撮像素子の一部をメカニカルシャッターの走行特性検知に用いる場合、走行曲線を正確に求めるためには走行検知部を多数設ける必要があり、結局のところ走行特性検知に要する時間が増加してしまうという問題がある。また、走行特性検知中のカメラの像ぶれにより走行検知部に無視できないほどの輝度変化が生じた場合には、走行特性検知により蓄積された電荷データに輝度変化による電荷データが上乗せされてしまい、正確な走行特性検知を行えない場合がある。
【００３７】
本発明は、上記課題に鑑みてなされ、後幕としてのメカニカルシャッターの走行特性を撮像素子により検知する場合のカメラの像ぶれ（輝度変化）による検知精度の低下を防止する技術を実現するものである。
【課題を解決するための手段】
【００３８】
上記課題を解決するため、本発明の撮像装置は、被写体像を受光して電荷として蓄積する撮像素子と、前記撮像素子の撮像領域を遮光するように走行する後幕としてのメカニカルシャッターと、前記撮像素子の撮像領域毎に順次、電荷の蓄積を開始する走査を行う走査手段と、前記電荷の蓄積を開始する走査と、蓄積された電荷を読み出す走査とを、予め決められた時間間隔で実行することで前記撮像素子を先幕電子シャッター及び後幕電子シャッターとして機能させると共に、前記メカニカルシャッターの走行に先行して前記電荷の蓄積を開始する走査を実行することで前記撮像素子を先幕電子シャッターとして機能させる露光制御手段と、前記先幕電子シャッターと前記後幕電子シャッターによる第１の電荷蓄積動作を行い、前記第１の電荷蓄積動作と同じ時間間隔で前記先幕電子シャッター及び前記メカニカルシャッターによる第２の電荷蓄積動作とを行い、前記第１の電荷蓄積動作と同じ時間間隔で前記先幕電子シャッターと前記後幕電子シャッターによる第３の電荷蓄積動作を行い、前記第１乃至第３の電荷蓄積動作により得られた蓄積電荷量を比較することにより前記メカニカルシャッターの走行特性を検知する検知手段と、を有する。
【００３９】
また、本発明の撮像装置の制御方法は、被写体像を受光して電荷として蓄積する撮像素子と、前記撮像素子の撮像領域を遮光するように走行する後幕としてのメカニカルシャッターと、前記撮像素子の撮像領域毎に順次、電荷の蓄積を開始する走査を行う走査手段と、前記電荷の蓄積を開始する走査と、蓄積された電荷を読み出す走査とを、予め決められた時間間隔で実行することで前記撮像素子を先幕電子シャッター及び後幕電子シャッターとして機能させると共に、前記メカニカルシャッターの走行に先行して前記電荷の蓄積を開始する走査を実行することで前記撮像素子を先幕電子シャッターとして機能させる露光制御手段と、を有する撮像装置の制御方法であって、前記先幕電子シャッターと前記後幕電子シャッターによる第１の電荷蓄積動作を行い、前記第１の電荷蓄積動作と同じ時間間隔で前記先幕電子シャッター及び前記メカニカルシャッターによる第２の電荷蓄積動作を行い、前記第１の電荷蓄積動作と同じ時間間隔で前記先幕電子シャッターと前記後幕電子シャッターによる第３の電荷蓄積動作を行い、前記第１乃至第３の電荷蓄積動作により得られた蓄積電荷量を比較することにより前記メカニカルシャッターの走行特性を検知する。
【発明の効果】
【００４０】
本発明によれば、後幕としてのメカニカルシャッターの走行特性を撮像素子により検知する場合のカメラの像ぶれ（輝度変化）による検知精度の低下を防止できる。
【発明を実施するための最良の形態】
【００４１】
以下に、添付図面を参照して本発明を実施するための最良の形態について詳細に説明する。
【００４２】
尚、以下に説明する実施の形態は、本発明を実現するための一例であり、本発明が適用される装置の構成や各種条件によって適宜修正又は変更されるべきものであり、本発明は以下の実施の形態に限定されるものではない。即ち、本実施形態ではデジタル一眼レフカメラを例に説明を行うが、これに限られるものではない。例えば、被写体像を受光して電荷として蓄積する撮像素子と、羽根ユニットとを用いて撮像素子の露光時間を制御する撮像装置であれば、他の構成を有する撮像装置についても本発明を適用可能である。
【００４３】
［第１の実施形態］
先ず、本発明に係る第１の実施形態について説明する。
【００４４】
本実施形態のデジタル一眼レフカメラの概略構成は、上述した図１１及び図１２と同様であり、ハーフミラー１１１とサブミラー１２２からなる光路分割手段を備え、図１１に示すミラーダウン状態と図１２に示すミラーアップ状態のいずれかに動作可能である。また、光学ファインダーモードと電子ビューファインダーモードとが切り替え可能である。
【００４５】
図１は本発明に係る実施形態のデジタル一眼レフカメラ２００の回路ブロック図である。
【００４６】
図１において、２０１は結像光学系１０３を含むレンズ部であり、２０２はレンズ駆動装置である。レンズ駆動装置２０２がレンズ部２０１に含まれる不図示のズーム光学系、結像光学系１０３を移動させることによって、ズーム制御やフォーカス制御等が行われる。２０３はメカニカルシャッターで、本実施形態では、一眼レフカメラに使用される、所謂フォーカルプレーン型のメカニカルシャッターの後羽根に相当する羽根ユニットを備える。２０４はメカニカルシャッター２０３を駆動するためのシャッター駆動装置であり、上述したチャージレバーや電磁石により構成される。
【００４７】
図２はメカニカルシャッター２０３の概略構成図である。
【００４８】
図２において、３０１はシャッター地板、３０１ａは被写体にて反射された光束を通過させるためにシャッター地板３０１に形成されたシャッター開口部である。３０２は第１のアーム、３０３は第２のアームであり、それぞれシャッター地板３０１に設けられた軸周りに回転自在に取り付けられている。３１１〜３１４は後羽根であり、第１のアーム３０２に設けられたダボと第２のアーム３０３に設けられたダボによって、各アームに対して回転自在に支持されている。第１のアーム３０２、第２のアーム３０３、及び後羽根３１１〜３１４によって平行リンクを形成した羽根ユニットが構成される。
【００４９】
不図示のチャージレバーによって撮影準備位置へ移動された図２に示す状態から、シャッター駆動装置２０４の電磁石用のコイルの通電を切ると、後羽根３１１、後羽根３１２、後羽根３１３、後羽根３１４の順にシャッター開口部３０１ａを覆い始める。３１１ａは後羽根３１１の進行方向先端のスリット形成端であり、後述するＣＭＯＳセンサからなるの撮像素子２０５にて電荷蓄積が開始され、このスリット形成端３１１ａにて遮光されるまでの時間が、撮像素子の、その撮像領域における露光時間となる。
【００５０】
尚、図２のメカニカルシャッター２０３は、撮影準備位置では図の下方に後羽根が位置し、撮影時に後羽根３１１〜３１４が図の上方に向かって移動するように記載されている。しかしながら、説明の便宜上、上述した図１３と図１４、後述する図６、図９及び図１０では、撮影時に後羽根が図の上方から下方に向かって移動するものとして記載している。
【００５１】
図１の説明に戻り、２０５は被写体からの光束を受光することにより、その光量に応じて電荷を蓄積し、被写体像を電気信号に変換する撮像素子であり、図１１及び図１２の撮像素子１０６に対応する。
【００５２】
２０６は画像信号処理回路であり、撮像素子２０５から出力される画像のアナログ信号を増幅する。また、画像信号処理回路２０６は画像のアナログ信号をデジタル信号に変換するＡ／Ｄ変換処理や、Ａ／Ｄ変換後の画像データに各種の補正処理や圧縮処理を施したりする。
【００５３】
２０７は撮像素子２０５及び画像信号処理回路２０６に対して、タイミング信号を出力するタイミング発生部であり、２０８は画像データを一時的に記憶するためのメモリ部である。２０９はカメラ全体の動作を統括して制御し、また、撮影パラメータや補正処理に用いる係数を演算するための制御回路である。２１０は記録媒体２１１に対する画像データの記録又は読み出しを行うための記録媒体制御インターフェース（Ｉ／Ｆ）部である。２１１は画像データを記録するための半導体メモリ等からなる着脱可能な記録媒体である。２１２はコンピュータ等の外部装置と通信するための外部Ｉ／Ｆ部である。
【００５４】
２１３は図１１及び図１２のペンタプリズム１１２の近傍に配置され、光学ファインダーモード時に光学ファインダーに導かれた光束を用いて被写体の輝度を測定する測光装置である。２１４は光学ファインダーモード時にハーフミラー１１１及びサブミラー１２２にて反射された光束を用いて被写体の焦点状態を検出する焦点検出装置であり、図１１及び図１２の焦点検出装置１２１に対応する。２１５は重力センサ等を用いてカメラ本体の向きを検知する姿勢検知装置である。２１６は電子ビューファインダーモード時に被写体を動画として表示したり、撮影画像を表示したりするための表示装置であり、図１１及び図１２の表示装置１０７に対応する。
【００５５】
次に、ＸＹアドレス型の撮像素子の走査方法について説明する。
【００５６】
撮像素子は、撮像素子の画素毎又はライン毎に不要電荷を除去し電荷蓄積を開始する走査（以下、リセット動作）を実行し、その後、画素毎又はライン毎に蓄積された電荷を読み出す走査（以下、読み出し動作）を行うことで蓄積動作を終了する。これらリセット動作と読み出し動作を撮像素子の撮像領域毎に時間差で行うものを、特にローリング電子シャッターと呼ぶ。
【００５７】
続いて、図３及び図４を参照して、ＸＹアドレス型の撮像素子の構造と駆動方法、及びローリング電子シャッターの動作について説明する。
【００５８】
図３はＸＹアドレス型の走査方法が適用される撮像素子の回路構成図である。
【００５９】
図３において、４０１は単位画素である。４０２は光を電荷に変換するフォトダイオード（以下、ＰＤ）である。４０３は転送パルスφＴＸによってＰＤで発生した電荷を後述する電荷検出部（以下、ＦＤ）４０４に転送する転送スイッチである。ＦＤ４０４は電荷を一時的に蓄積しておく電荷検出部であり、４０５はソースフォロアとして機能する増幅ＭＯＳアンプである。４０６は選択パルスφＳＥＬＶによって画素を選択する選択スイッチであり、４０７はリセットパルスφＲＥＳによってＦＤに蓄積された電荷を除去するリセットスイッチである。ＦＤ４０４、増幅ＭＯＳアンプ４０５、及び後述する定電流源４０９でフローティングディフュージョンアンプが構成される。そして、選択スイッチ４０６で選択された画素の電荷が電圧に変換され信号出力線４０８を介して読み出し回路４１３に出力される。４０９は増幅ＭＯＳアンプ４０５の負荷となる定電流源である。
【００６０】
４１０は読み出し回路４１３から出力信号を選択する選択スイッチであり、水平走査回路４１４によって駆動される。また、４１２は転送スイッチ４０３、選択スイッチ４０６、リセットスイッチ４０７を選択するための垂直走査回路である。
【００６１】
φＴＸ、φＲＥＳ、φＳＥＬＶのそれぞれにおいて垂直走査回路４１２によって走査選択されたｎ番目の走査ラインをφＴＸｎ、φＲＥＳｎ、φＳＥＬＶｎとする。
【００６２】
図４は、従来のローリング電子シャッターの動作における撮像素子の駆動パルスと動作シーケンスを示す図である。尚、図４では垂直走査回路４１２によって走査選択されたｎラインからｎ＋３ラインのみを示している。
【００６３】
従来のローリング電子シャッターは、ｎラインにおいて、先ず時刻ｔ４１からｔ４２の間、φＲＥＳｎとφＴＸｎにパルスが印加され転送スイッチ４０３及びリセットスイッチ４０７がオンされる。これによりｎライン目のＰＤ４０２とＦＤ４０４に蓄積されている不要電荷を除去するリセット動作を行う。
【００６４】
リセット動作が行われると、時刻ｔ４２で転送スイッチ４０３がオフになり、ＰＤ４０２に発生した光電荷の蓄積動作が開始される。次に時刻ｔ４４においてφＴＸｎにパルスを印加され転送スイッチ４０３をオンにし、ＰＤ４０２に蓄積された光電荷をＦＤ４０４に転送する転送動作を行う。尚、リセットスイッチ４０７は、転送動作に先んじてオフする必要があり、本図では、時刻ｔ４２で転送スイッチ４０３と同時にオフとなる。ここで、時刻ｔ４２から時刻ｔ４４までが蓄積時間となる。
【００６５】
ｎライン目の転送動作終了後、φＳＥＬＶｎにパルスが印加され選択スイッチ４０６がオンすることにより、ＦＤ４０４に保持した電荷が電圧に変換され、読み出し回路４１３に出力される。読み出し回路４１３で一時的に保持された信号が水平走査回路４１４によって時刻ｔ４６より順次出力される。時刻ｔ４４の転送開始から時刻ｔ４７の読み出し終了までをｎラインでのＴ４ｒｅａｄとし、時刻ｔ４１から時刻ｔ４３までの時間をｎ＋１ラインでのＴ４ｗａｉｔとする。他のラインにおいても同様に、転送開始から読み出し終了までの時間がＴ４ｒｅａｄとなり、あるラインのリセット開始から次のラインのリセット開始までの間の時間がＴ４ｗａｉｔとなる。
【００６６】
このようにローリング電子シャッターでは撮像素子の上下の領域で電荷蓄積のタイミングは異なるが、それぞれの電荷蓄積に要する時間は撮像素子の上下の領域で同等にすることが可能である。
【００６７】
本実施形態においては、リセット動作によって電荷蓄積動作を開始してから羽根ユニットによる遮光までの時間を変更することによって撮像素子の露光時間を制御する構成となっている。
【００６８】
この構成では、撮像素子のリセット動作から羽根ユニットによる遮光までが実質的な露光時間となるため、電荷蓄積に要する時間を撮像素子の上下の領域で等しくする必要はない。本実施形態では、撮像素子のＰＤ４０２とＦＤ４０４のリセット動作をライン毎に等間隔で行うのではなく、このリセット動作を後羽根の走行特性に合わせる必要がある。ここで、後羽根の走行特性とは、後羽根の走行時の、時間経過に対する後羽根の走行位置を表す特性を意味している。
【００６９】
図５は、本実施形態のローリング電子シャッターにおける撮像素子の駆動パルスと動作シーケンスを示す図である。図４と同様に、図５も垂直走査回路４１２によって走査選択されたｎラインからｎ＋３ラインのみを示している。
【００７０】
本実施形態のローリング電子シャッター（先幕電子シャッター及び後幕電子シャッター）は、ｎラインにおいて、先ず時刻ｔ５１からｔ５２の間、φＲＥＳｎとφＴＸｎにパルスが印加され、転送スイッチ４０３及びリセットスイッチ４０７がオンされる。これによりｎライン目のＰＤ４０２とＦＤ４０４に蓄積されている不用電荷を除去するリセット動作を行う。
【００７１】
時刻ｔ５２で転送スイッチ４０３がオフになり、ＰＤ４０２に発生した光電荷の蓄積動作が開始される。次に時刻ｔ５４においてφＴＸｎにパルスが印加され、転送スイッチ４０３がオンされ、ＰＤ４０２に蓄積された光電荷をＦＤ４０４に転送する転送動作を行う。尚、リセットスイッチ４０７は、転送動作に先んじてオフする必要があり、本図では、時刻ｔ５２で転送スイッチ４０３と同時にオフとなる。ここで、時刻ｔ５２から時刻ｔ５４までがｎラインの蓄積時間となる。
【００７２】
ｎライン目の転送動作終了後φＳＥＬＶｎにパルスが印加され、選択スイッチ４０６がオンされることにより、ＦＤ４０４で保持した電荷が電圧に変換され、読み出し回路４１３に出力される。読み出し回路４１３で一時的に保持された信号が水平走査回路４１４によって時刻ｔ５６より順次出力される。時刻ｔ５４の転送開始から時刻ｔ５７の読み出し終了までをＴ５ｒｅａｄとし、時刻ｔ５１から時刻ｔ５３までの時間をＴ５ｗａｉｔとする。この時刻ｔ５３で、ｎ＋１ライン目での電荷蓄積動作が開始される。他のラインにおいても同様に、転送開始から読み出し終了までの時間はＴ５ｒｅａｄとなるが、あるラインのＰＤ４０２とＦＤ４０４のリセット開始から次のラインのＰＤ４０２とＦＤ４０４のリセット開始までの間の時間Ｔ５ｗａｉｔは等間隔とはならない。あるラインのＰＤ４０２とＦＤ４０４のリセット開始から次のラインのＰＤ４０２とＦＤ４０４のリセット開始までの時間Ｔ５ｗａｉｔは、後羽根が通過するまでの時間が全てのラインで略同じになるように、後羽根の走行特性に合うように制御される。
【００７３】
しかしながら、後羽根の走行特性はある程度は予測できても、カメラの姿勢、使用環境温度、湿度、電源状態、作動回数、撮影間隔等の多くの要因によって変化するため、撮像素子のリセット動作を後羽根の走行特性に一致させることは困難である。
【００７４】
そこで、本実施形態では後述する方法によって、撮像素子の撮像領域毎の露光ムラやズレを低減させる処理を行っている。
【００７５】
ここで、本実施形態におけるデジタル一眼レフカメラによる撮影動作（露光制御）について、光学ファインダーモード時を例に説明する。
【００７６】
デジタル一眼レフカメラの電源がオンされると、画像信号処理回路２０６やタイミング発生部２０７等の撮像系回路の電源がオンされる。
【００７７】
不図示のレリーズボタンが半押しされ、撮影準備動作が指示されると、制御回路２０９は測光装置２１３に測光を行わせて被写体輝度を検出する。制御回路２０９は、検出された被写体輝度に応じて、適正なシャッター速度（以下、目標露光時間）と絞り値を決定する。また、制御回路２０９は、焦点検出装置２１４から出力された信号から被写体の高周波成分を取り出し、被写体までの距離を演算する。そして、主被写体と判定された対象が合焦状態となるようにレンズ駆動装置２０２によりレンズ部２０１を駆動する。主被写体が合焦状態になると、音や焦点検出枠を点灯させる等の手段によってその旨を撮影者に通知する。
【００７８】
不図示のレリーズボタンが全押しされ撮影開始が指示されると、制御回路２０９はハーフミラー１１１とサブミラー１２２からなる光路分割手段を跳ね上げて、図１２に示すミラーアップ状態とする。
【００７９】
撮像素子２０５のリセット動作を開始し、決定された目標露光時間に応じた時間が経過した後、後羽根としての羽根ユニットの走行を開始する。尚、羽根ユニットの走行を開始するタイミングは、シャッター駆動装置２０４に羽根ユニットの走行を開始させるための信号を出力してから後羽根３１１が撮像素子２０５を覆うまでの時間も考慮されて決定される。
【００８０】
そして、羽根ユニットの走行が完了し、シャッター開口部３０１ａが後羽根３１１〜３１４にて完全に覆われた後で、撮像素子２０５に蓄積された電荷の読み出し動作をライン毎に行う。
【００８１】
尚、電子ビューファインダーモードが設定されている場合は、レリーズボタンが半押しされる前にハーフミラー１１１とサブミラー１２２を跳ね上げて、図１２に示すミラーアップ状態とする。撮像素子２０５は読み出し動作を周期的に行い、表示装置２１６に被写体の画像を連続してリアルタイムに表示する。そして、撮像素子２０５により撮像された画像データから適正なシャッター速度と絞り値を決定し、主被写体と判定された対象が合焦状態となるよう、レンズ駆動装置２０２によりレンズ部２０１を駆動する。そして、レリーズボタンが全押しされたタイミングに合わせて撮像素子２０５のリセット動作を行い、羽根ユニットを走行させる。
【００８２】
撮影動作が終了すると、撮像素子２０５から出力された画像データは画像信号処理回路２０６にて増幅され、更にＡ／Ｄ変換され、制御回路２０９によりメモリ部２０８に書き込まれる。その後、メモリ部２０８に蓄積された画像データは、制御回路２０９によって後述するゲイン補正が行われ、補正された画像データは記録媒体制御Ｉ／Ｆ部２１０を介して記録媒体２１１に記録される。
【００８３】
次に、図６〜図９を参照して、後羽根の走行特性の検知方法について説明する。
【００８４】
図６は、撮像素子２０５及びメカニカルシャッター２０３の後羽根を光軸方向の被写体側から見た図であり、撮像面を後羽根にて遮光する前の待機状態を示している。矢印２０は、リセット動作及び読み出し動作の走査方向と、後羽根の走行方向を表している。
【００８５】
２１は撮像素子２０５の撮像面である。３１１は走行時に先頭となる後羽根である。後羽根３１１の先端３１１ａは、撮像素子２０５に配列されたラインセンサと平行になるように形成されている。２１ａ，２１ｂは走行検知部であり、撮像面２１における後羽根の走行方向に対してズレた複数の位置に設けられる。本実施形態では撮像面２１のうち、後述する後羽根の走行特性検知に用いる最上部の複数行２１ａと最下部の複数行２１ｂのラインセンサをそれぞれ示している。
【００８６】
本実施形態では、後羽根の走行特性の検知は、撮像素子のリセット動作と読み出し動作の間に蓄積された電荷量と、撮像素子のリセット動作とメカニカルシャッターの走行の間に蓄積された電荷量とを比較することで行う。図６では、それぞれの走行検知部２１ａ，２１ｂのラインセンサに対し、リセット動作が開始されてから後羽根３１１の先端３１１ａによって遮光されるまでの時間が、その走行検知部におけるラインセンサの露光時間となる。
【００８７】
［走行特性検知］
図７は後羽根の走行特性検知処理を示すフローチャートである。
【００８８】
本実施形態では、先ず走行検知部２１ａ，２１ｂのそれぞれによりリセット動作を行ってから後羽根３１１〜３１４を走行させずに読み出し動作を行う第１の電荷蓄積動作により第１の電荷蓄積量を得る。次に、リセット動作を行ってから後羽根３１１〜３１４を走行させて読み出し動作を行う第２の電荷蓄積動作により第２の電荷蓄積量を得る。更に、第１の電荷蓄積動作と同じ間隔でリセット動作を行ってから読み出し動作を行う第３の電荷蓄積動作を再度実行することにより第３の電荷蓄積量を得る。ここで、第１の電荷蓄積動作の時間間隔、第２の電荷蓄積動作の時間間隔、第３の電荷蓄積動作の時間間隔とが互いに同一であれば、第１乃至第３の電荷蓄積動作による各蓄積電荷量は同等となるはずである。
【００８９】
そこで、図７において、後羽根の走行特性検知モードに移行し、不図示のレリーズボタンによって撮影指示がなされると、Ｓ２１では、制御回路２０９はハーフミラー１１１とサブミラー１２２からなる光路分割手段を跳ね上げて、ミラーアップ状態とする。
【００９０】
Ｓ２２では、制御回路２０９は撮像素子２０５の走行検知部２１ａ，２２ｂにリセット動作を実行させる。走行検知部２１ａ、２１ｂのリセット動作の開始タイミングは、ライン毎に１つの走行検知部での読み出し動作に要する時間だけずらして行われる。走行検知部２１ａの全てのラインセンサでのリセット動作が開始されれば、間を空けずにすぐさま走行検知部２１ｂでのリセット動作が開始される。
【００９１】
Ｓ２３では、走行検知部２１ａ，２１ｂのそれぞれについて、リセット動作から所定時間経過後に読み出し動作を行い、走行検知部２１ａ，２１ｂにより第１の電荷蓄積量を得る。ここでの読み出し動作は、撮像面の全面積よりも小さな走行検知部２１ａ，２１ｂに相当する領域から電荷を読み出せば済むので、短時間で読み出すことができる。
【００９２】
例えばアスペクト比が３：２の６００万画素の撮像素子を想定した場合、ラインセンサは２０００行並んでおり、全画素の電荷蓄積量を読み出すのに要する時間は１００〜２００ｍｓである。走行検知部２１ａ，２１ｂのそれぞれがラインセンサ５行で構成され、これらラインセンサ１０行分を読み出すのであればその１／２００の時間で済み、０．５ｍｓ〜１．０ｍｓで読み出すことができる。
【００９３】
従って、第１の電荷蓄積量を得るために要する時間は、先のリセット動作から読み出しまでの所定時間Ｔ０を例えば１／１０００秒（１ｍｓ）程度に設定すれば、２ｍｓ程度という非常に短時間にすることができる。
【００９４】
Ｓ２３の読み出し動作の完了後、Ｓ２４〜Ｓ２６において、後羽根３１１〜３１４を用いた露光動作によって撮影を行うと共に、走行検知部２１ａ，２１ｂにより第２の電荷蓄積量を得る。
【００９５】
具体的には、Ｓ２４にて予め推定された後羽根３１１〜３１４の走行特性に合うようにタイミングを合わせて走行検知部２１ａ、２１ｂのリセット動作を行う。
【００９６】
Ｓ２５では、走行検知部２１ａでの露光時間が所定時間Ｔ０となることを狙って後羽根３１１〜３１４を走行させ、撮像面２１の走行検知部２１ａ、２１ｂを遮光させる。
【００９７】
Ｓ２６では、走行検知部２１ａ，２１ｂの読み出し動作を行い第２の電荷蓄積量を得る。この電荷の読み出しが完了すると、後羽根３１１〜３１４のチャージを行って走行開始位置に戻す（Ｓ２７）。
【００９８】
Ｓ２８では、Ｓ２-２と同様に、走行検知部２１ａ，２１ｂのそれぞれについて、リセット動作から所定時間経過後に読み出し動作を行い、走行検知部２１ａ，２１ｂにより第３の電荷蓄積量を得る。
【００９９】
図８は、図７で述べた後羽根の走行特性検知において、第１の電荷蓄積量と第３の電荷蓄積量とを比較することで、カメラの像ぶれによる走行検知部の輝度変化を検出し、後羽根の走行特性検知結果の成否を判定するフローチャートである。
【０１００】
Ｓ３１〜Ｓ３２では、上記Ｓ２１〜Ｓ２９による後羽根の走行特性検知を行う。走行特性検知が完了すると、カメラの像ぶれ検出処理に移行し、上記第１の電荷蓄積量及び第３の電荷蓄積量の差分データを算出する（Ｓ３３）。
【０１０１】
この差分データは後羽根の走行特性検知の前後における所定時間のリセット動作、読み出し動作による電荷蓄積量の差であり、走行特性検知中にカメラに像ぶれが発生していなければ値はゼロになるはずである。つまり、前述の後羽根の走行特性検知時に、カメラを完全に固定し、一定輝度面を撮像するようにして、撮像素子の走行検知部に集束する光束が走行特性検知中に変化しないようにしない限り、走行特性検知の前後で像ぶれが発生する。そして、この像ぶれにより走行検知部での輝度が変化してしまうため、この差分データはゼロになることはない。
【０１０２】
よって、Ｓ３４では、予め設定された所定の閾値を設定し、差分が所定閾値以下であれば、後羽根の走行特性検知の前後における像ぶれによる輝度変化は無視できると判定し、逆に差分が所定閾値を上回る場合には走行特性検知が失敗であると判定する。
【０１０３】
Ｓ３５では、走行特性検知が失敗であるので、その旨を表示する等して撮影者に通知し、再度後羽根の走行特性検知を行う。
【０１０４】
Ｓ３６では、差分が所定閾値以下であるので、走行特性検知が成功であると判定し、後羽根の走行特性に合わせた画像輝度補正のための補正データを算出する。
【０１０５】
次に、上記Ｓ３６での画像輝度補正について詳細に説明する。
【０１０６】
図９において、縦軸は撮像素子２０５の撮像面の上下方向における位置を示し、横軸は時間を示している。
【０１０７】
図９において、７１ａ，７１ｂはそれぞれ走行検知部２１ａ，２１ｂにおけるリセット動作（Ｓ２２）の開始タイミングを、７２ａ，７２ｂは同じ走行検知部２１ａ、２１ｂにおける読み出し動作（Ｓ２３）の開始タイミングを示している。７１ａと７２ａの間隔と７１ｂと７２ｂの間隔はいずれも所定時間Ｔ０あり、走行検知部２１ａ，２１ｂにおける露光蓄積時間は等しくなっている。このリセット動作及び読み出し動作による露光動作で得られる走行検知部２１ａ，２１ｂの電荷蓄積量をＱａ，Ｑｂとする。走行検知部２１ａ，２１ｂの露光蓄積時間がＴ０で等しくとも、このときの被写体の輝度が一様でなければ、電荷蓄積量ＱａとＱｂは異なる値となる。
【０１０８】
８１は撮像面２１の全撮像領域のリセット動作の開始タイミングを示し、８２は撮像面２１の全撮像領域の後羽根の走行特性を示している。８１ａ，８１ｂはそれぞれ走行検知部２１ａ，２１ｂにおけるリセット動作（Ｓ２４）の開始タイミングを、８２ａ，８２ｂは同じ走行検知部２１ａ，２１ｂにおける後羽根の先端３１１ａの走行（Ｓ２５）のタイミングを示している。また、８３ａ，８３ｂはは同じ走行検知部２１ａ，２１ｂにおける電荷の読み出し動作（Ｓ２６）の開始タイミングを示している。このリセット動作及び後羽根の走行による露光動作で得られる走行検知部２１ａ，２１ｂの電荷蓄積量をｑａ，ｑｂとする。
【０１０９】
ここで、上述したようにＳ２２、Ｓ２３とＳ２４〜Ｓ２６のそれぞれの走行検知部における像ぶれによる輝度変化は無視できるものとすると、電荷蓄積量Ｑａとｑａ、電荷蓄積量Ｑｂとｑｂの比はそれぞれの走行検知部での露光時間の比となる。
【０１１０】
従って、走行検知部２１ａにおけるＳ２４〜Ｓ２６での実際の平均露光蓄積時間ｔａは、電荷量Ｑａとｑａの比となるため、式１の関係となる。
ｔａ＝Ｔ０＊ｑａ／Ｑａ・・・（１）
同様に、走行検知部２１ｂにおけるＳ２４〜Ｓ２６での実際の平均露光蓄積時間ｔｂは、式２の関係となる。
ｔｂ＝Ｔ０＊ｑｂ／Ｑｂ・・・（２）
Ｔ０に対するｔａの値を、目標とする露光時間に対する実際の後羽根の走行開始タイミングのズレと考えられるため、得られた画像データ全体は露光時間が式３だけズレていると見なすことができる。
ｔａ／Ｔ０・・・（３）
次に、後羽根の走行特性に対するリセット動作のタイミングのズレは、後羽根の走行特性を１次関数に近似することで、撮像素子２０５のライン毎に式４から求められる。
ｔｂ／ｔａ×ｎ／ｖ０・・・（４）
但し、ｖ０は撮像素子２０５のラインの総数であり、ｎは図９の上部からのライン数を示している。
【０１１１】
上記式３，４で表される分だけ撮像素子の各ラインにおいて実際の露光時間が目標とする露光時間からズレている。そのため、この逆数を加味した式５で表されるゲイン補正を各ラインに相当する画素に対して行えば、露光時間を目標値に一致させたときの画像データに相当する画像データを得ることができる。
１／（ｔａ／Ｔ０×ｔｂ／ｔａ×ｎ／ｖ０）×Ｙ・・・（５）
但し、Ｙは画像データのゲイン補正対象となるが素の輝度信号の値を表している。
【０１１２】
図１０は上記式５で表されるゲイン補正の概念を示す図である。
【０１１３】
図１０では、撮影によって得られた画像データの輝度信号に対して、羽根ユニットの走行開始タイミングのズレと、１次式で近似された目標値に対する実際の走行特性の形状のズレを考慮して、ゲイン補正による輝度補正を行っていることを示している。
【０１１４】
具体的には、電子先幕シャッターの撮影により得られた画像は、画面上側が暗く下側に移るにつれて徐々に明るい画像になっている。しかし、上側で強く下側に移るにつれて徐々に弱くなっていくようにゲイン補正を行うことで、露出ムラが抑制された画像が得られる。
【０１１５】
尚、実際の露光時間と目標露光時間の差分を補償する方法はこれに限定されるわけではない。
【０１１６】
例えば、式４は１次関数として求めたが、決定されたシャッター速度を考慮して２次以上の関数として求めても良い。また、式５の代わりに予めゲイン補正の値を補正テーブルに記憶しておき、目標露光時間Ｔ０、ｔａ及びｔｂの値の組み合わせに応じて選択的にゲイン補正の値を読み出してもよい。
【０１１７】
更に後羽根だけでなく、電荷蓄積動作の開始タイミングを規定する先羽根をメカニカルシャッターの羽根ユニットにより構成した場合でも本発明を適用可能である。後羽根としての羽根ユニットと同様に、先羽根としての羽根ユニットの通過タイミングを検知することにより、２つの羽根ユニットの走行間隔の目標値に対する差分が求められる。更に、上記式４と同様に、２つの羽根ユニットの走行特性の差分も求められる。これらの差分を考慮したゲイン補正を撮影した画像に施すことで、先羽根を電子シャッター機能を用いて構成した場合と同様に、撮像領域毎に生じる露光ムラを適正に補償することができる。
【０１１８】
また、上記式４を用いて次回の撮影時のリセット動作のタイミングを補正しても良い。
【０１１９】
尚、上述の輝度補正処理を、画像を撮影したカメラとは別の装置で行っても良い。目標露光時間Ｔ０、ｔａ及びｔｂに相当する値を撮影によって得られた画像データに付随して記録媒体に保存し、この画像データを読み出した画像処理装置において上述のゲイン補正を行うことも可能である。つまり、画像データが得られたときの撮像領域毎のリセット動作のタイミングを示す情報と、羽根ユニットの走行特性を示す情報とがあれば、これらの差分等の比較結果から画像を撮影したカメラとは別の装置での輝度補正が可能となる。
【０１２０】
尚、本発明の目的は、前述した実施形態の機能を実現するソフトウェアのプログラムコードを格納した記憶媒体（又は記録媒体）をカメラに供給ことによっても達成されることは言うまでもない。この場合、カメラのコンピュータ（又はCPUやMPU）が記憶媒体からプログラムコードを読み出して実行することによって達成される。
【０１２１】
本発明を上記記憶媒体に適用する場合、その記憶媒体には、先に説明した図７、図８の各フローチャートの処理を実行する制御プログラムや各種テーブルが格納されることになる。これらのプログラムコードは、例えば、アップデート可能なファームウェアとしても提供可能である。
【図面の簡単な説明】
【０１２２】
【図１】本発明に係る実施形態のデジタル一眼レフカメラの回路ブロック図である。
【図２】本発明に係る実施形態のメカニカルシャッターの概略構成を示す図である。
【図３】ＸＹアドレス型の走査方法が適用される撮像素子の回路構成図である。
【図４】従来のローリング電子シャッターの撮像素子の駆動パルスと動作シーケンスを示す図である。
【図５】本実施形態のローリング電子シャッターの撮像素子の駆動パルスと動作シーケンスを示す図である。
【図６】撮像素子及びメカニカルシャッターの後羽根を光軸方向の被写体側から見た図である。
【図７】後羽根の走行特性検知及び撮影を行うための動作シーケンスを示す図である。
【図８】後羽根の走行特性検知の成否を判定するフローチャートである。
【図９】後羽根の走行特性と電荷蓄積量との関係を説明する図である。
【図１０】本実施形態におけるゲイン補正の概念を示す図である。
【図１１】光学ファインダーモード時の単板式のデジタル一眼レフカメラの概略構成を示す断面図である。
【図１２】電子ビューファインダーモード時の単板式のデジタル一眼レフカメラの概略構成を示す断面図である。
【図１３】従来のカメラによる撮像素子の蓄積動作と、メカニカルシャッターにより構成した先羽根及び後羽根の走行タイミングを示す図である。
【図１４】従来のカメラによる撮像素子の蓄積動作と、電子シャッター機能により構成した先羽根のリセット動作のタイミングと、メカニカルシャッターにより構成した後羽根の走行タイミングを示す図である。
【符号の説明】
【０１２３】
２１  撮像面
２００  デジタル一眼レフカメラ
２０１  レンズ部
２０２  レンズ駆動装置
２０３  メカニカルシャッター
２０４  シャッター駆動装置
２０５  撮像素子
２０６  画像信号処理装置
２０７  タイミング発生部
２０８  メモリ部
２０９  制御回路
２１０  記録媒体制御インターフェース部
２１１  記録媒体
２１２  外部インターフェース部
２１３  測光装置
２１４  焦点検出装置
２１５  姿勢検知装置
２１６  表示装置
３０１  シャッター地板
３０２  第１アーム
３０３  第２アーム
３１１〜３１４  先羽根
【図１】
2008278335.tif 000003
【図２】
2008278335.tif 000004
【図３】
2008278335.tif 000005
【図４】
2008278335.tif 000006
【図５】
2008278335.tif 000007
【図６】
2008278335.tif 000008
【図７】
2008278335.tif 000009
【図８】
2008278335.tif 000010
【図９】
2008278335.tif 000011
【図１０】
2008278335.tif 000012
【図１１】
2008278335.tif 000013
【図１２】
2008278335.tif 000014
【図１３】
2008278335.tif 000015
【図１４】
2008278335.tif 000016